(57)【要約】      （修正有）【課題】指先にフィットさせた状態で確りと保持することができ、しかも指先と滑り止め部材との間に充分な摩擦力を発揮させて、不用意な落下を防止することができるハードディスクカートリッジを提供する。【解決手段】ディスクドライブ本体３と、ディスクドライブ本体３を収容する扁平角箱状の外ケース２とを備えるハードディスクカートリッジにおいて、外ケース２の前面に、外部接続用のコネクタ４を配置し、外ケース２の左右側壁の後端寄りに、指掛部９・９を凹曲状に凹み形成する。指掛部９は、部分円弧状の凹曲面部１１に滑り止め部材１３を埋設固定して構成する。滑り止め部材１３は、ゴム弾性を備えたエラストマーで形成し、凹曲面部１１に設けた取付凹部１２に埋設固定する。滑り止め部材１３の外面に、滑り止め用の突起１４を形成する。【選択図】図２
2010003361.tif 000002
【特許請求の範囲】
【請求項１】
ディスクドライブ本体と、該ディスクドライブ本体を収容する扁平角箱状の外ケースとを備えるハードディスクカートリッジであって、
前記外ケースの前面に、外部接続用のコネクタが配置されており、
前記外ケースの左右側壁の後端寄りに、指掛部が凹曲状に凹み形成してあることを特徴とするハードディスクカートリッジ。
【請求項２】
前記指掛部に、前記左右側壁の表面より大きな摩擦力を発揮する滑り止め部材が設けられており、
前記滑り止め部材は、ゴム弾性を備えたエラストマーで形成されて、前記左右側壁に形成した取付凹部に埋め込み装着されている請求項１記載のハードディスクカートリッジ。
【請求項３】
前記滑り止め部材の外面に、滑り止め用の突起が形成されている請求項２記載のハードディスクカートリッジ。
【発明の詳細な説明】
【技術分野】
【０００１】
本発明は、ＡＶ機器（オーディオ−ビデオ機器）やコンピュータなどの機器に着脱自在に装着されるリムーバブル・ハードディスクカートリッジに関する。
【背景技術】
【０００２】
ハードディスクカートリッジは、大容量にもかかわらず小型軽量で携帯性に優れるが、その内部のディスクドライブ本体には、精密部品である磁気ヘッドや駆動機構などが組み込まれている。そのため、落下衝撃を受けると比較的簡単に動作不良に陥り易く、取り扱いには細心の注意が必要である。そこで、特許文献１のハードディスクカートリッジにおいては、外ケースの上面に滑り止めを設けて、機器に着脱する際などに、指を滑らせてカートリッジが誤って落下されることを防いでいる。滑り止めは、溝、突起、ゴム材料系の塗装膜などで形成してある。
【０００３】
特許文献２のテープカートリッジにおいては、カートリッジ本体の左右側壁にゴム状弾性体で形成された滑り止め手段を設けて、テープカートリッジをテープドライブに装填し、あるいは取り出す際の滑り落ちを防止している。さらに、チェンジャ装置の一対のアームによる滑り落ちの防止を図っている。滑り止め手段は矩形板状に形成してあり、取付凹部に嵌め込まれて接着剤で固定してある。
【０００４】
【特許文献１】特開２０００−１３２９６０号公報（段落番号０００６、図１）
【特許文献２】特開平８−３２９６４２号公報（段落番号００３９〜００４０、図５）
【発明の開示】
【発明が解決しようとする課題】
【０００５】
特許文献１における滑り止めは、外ケースの上面に平坦に形成してある。そのため、外ケースをその厚み方向につかむ場合には外ケースが手から滑り落ちるのをよく防止できる。しかし、ハードディスクカートリッジをＡＶ機器などに装填した状態では、先の滑り止めの殆どの部分がＡＶ機器の装填口の内部に入り込むので、滑り止めをつかんでハードディスクカートリッジを取り出すことができない。また、ゴム材料系の塗装膜で形成した滑り止めが、装填口に引っ掛かって傷つき、あるいは剥離するおそれがあり、耐久性に問題がある。
【０００６】
特許文献２のテープカートリッジでは、カートリッジ本体の左右側壁にゴム状弾性体からなる滑り止め手段を設けるので、滑り止め手段をつかんでテープカートリッジの着脱を確実に行える。しかし、滑り止め手段は、取付凹部に嵌め込んだ状態において平坦になっているうえ、全体がシート状に形成してあるため、指先を滑り止め手段にあてがったときの接触面積が小さく、しかも、滑り止め手段自体を弾性変形させるのが難しく、指先と滑り止め手段との間で大きな摩擦力を発揮させることができない。
【０００７】
また、テープカートリッジの場合には、カートリッジ本体の長辺部分を装填始端にしてテープドライブに着脱するが、ハードディスクカートリッジの場合には、外ケースの短辺部分を装填始端にしてＡＶ機器に装填するので、着脱時により大きな重量モーメントが作用する。しかも、外形寸法が同じである場合のハードディスクカートリッジの重量は、テープカートリッジの重量に比べて格段に大きい。そのため、先の滑り止め手段をハードディスクカートリッジに適用したとしても、外ケースを確りと保持するのが難しく、誤ってハードディスクカートリッジが滑り落ちるおそれがある。
【０００８】
本発明の目的は、指先にフィットさせた状態で確りと保持することができ、しかも指先と滑り止め部材との間に良好な摩擦力を発揮させて、不用意な落下を確実に防止することができるハードディスクカートリッジを提供することにある。
【課題を解決するための手段】
【０００９】
本発明に係るハードディスクカートリッジは、図１に示すように、ディスクドライブ本体３と、ディスクドライブ本体３を収容する扁平角箱状の外ケース２とを備えており、外ケース２の前面に、外部接続用のコネクタ４が配置されている。そして、外ケース２の左右側壁の後端寄りに、指掛部９・９が凹曲状に凹み形成してあることを特徴とする。
【００１０】
図２に示すように、指掛部９に、左右側壁８の表面より大きな摩擦力を発揮する滑り止め部材１３を設ける。滑り止め部材１３は、ゴム弾性を備えたエラストマーで形成して、左右側壁８に形成された取付凹部１２に埋め込み装着する。本発明において、ゴム弾性を備えたエラストマーとは、天然ゴム、合成ゴム、ゴム弾性を備えたプラスチック、あるいは前記各素材の発泡体などを含む概念である。
【００１１】
図４に示すように、滑り止め部材１３の外面に、滑り止め用の突起１４を形成する。
【発明の効果】
【００１２】
本発明に係るハードディスクカートリッジにおいては、図１に示すように、外ケース２の左右側壁８・８の後端寄りに指掛部９・９を凹曲状に凹み形成したので、指先を指掛部９・９にあてがったときの両者の接触面積を大きくできる。したがって、指先を指掛部９・９の凹曲部分で受け止めた滑り難い状態で、コネクタ４をＡＶ機器などに対して着脱できる。つまり、本発明のハードディスクカートリッジによれば、機器に対して着脱する際に、外ケース２を確りと保持して、カートリッジの不用意な落下を防止できる。また、指掛部９が凹曲状であるため、凸曲状の指先に対してフィットしやすく、したがって、軽い力であっても確りと保持することができる。
【００１３】
指掛部９に摩擦力の大きい滑り止め部材１３を設けると、指先と滑り止め部材１３との摩擦力をより一層向上させて、指掛部９の滑り止め機能を強化でき、その分だけカートリッジの不用意な落下をさらに確実に防止できる。また、ゴム弾性を備えたエラストマーで形成した滑り止め部材１３を取付凹部１２に埋め込み装着するので、これを平坦面上に固定する場合に比べて滑り止め部材１３が剥がれ落ち難く、したがって、滑り止め機能の信頼性が向上する。
【００１４】
滑り止め部材１３の外面に突起１４を形成すると、滑り止め部材１３の表面に凹凸がない場合に比べて、滑り止め部材１３と指先との接触面圧を大きくでき、しかも、滑り止め部材１３を指先でつかんだ状態において、突起１４を指先に食い込ませて両者の接触面積を増加できる。したがって、滑り止め部材１３と指先との間により大きな摩擦力を発揮させて、滑り止め部材１３による滑り止め機能をさらに強化し、カートリッジの不用意な落下をより確実に防止できる。
【発明を実施するための最良の形態】
【００１５】
（実施形態）  図１ないし図４に、本発明に係るハードディスクカートリッジ（以下、単にカートリッジと記す。）の実施形態を示す。図２に示すようにカートリッジ１は、硬質プラスチック製の扁平角箱状の外ケース２と、外ケース２の内部空隙に収容される扁平角型のディスクドライブ本体３とからなる。外ケース２の前壁には、ディスクドライブ本体３が備える外部接続用のコネクタ４をケース外に臨ませるための開口５が形成されている。ディスクドライブ本体３の内部には、磁気ディスク６（図１参照）、磁気ヘッド、駆動機構、制御回路などが組み込まれている。
【００１６】
外ケース２の左右側壁８・８の後端寄りには、指掛部９・９が凹曲状に凹み形成してある。コネクタ４をＡＶ機器などに対して着脱する際には、例えば図１に示すように、左側の指掛部９に右手親指、右側の指掛部９に同中指をそれぞれ当接させて、外ケース２を保持することができる。
【００１７】
図２ないし図４に示すように各指掛部９は、外ケース２の左右側壁８に形成した部分円弧状の凹曲面部１１に滑り止め部材１３を埋設固定して構成する。凹曲面部１１は、左右側壁８の上下方向（外ケース２の厚み方向）の全長にわたって形成されており、その前縁および後縁は、左右側壁８の平坦部分に段差なく連続している。滑り止め部材１３を埋設固定するために、凹曲面部１１の前後および上下の周縁部を除く、凹曲面部１１の略全体にわたって、部分円弧状の取付凹部１２が凹み形成してある。取付凹部１２の凹み深さ寸法は、取付凹部１２の各位置で等しい。
【００１８】
滑り止め部材１３は、図２に想像線で示すように、四角板状のベース部１５と、ベース部１５の外面に一定間隔おきに形成される多数個の突条（突起）１４とを一体に備えた可撓性の成形品からなる。詳しくは、左右側壁８の表面より大きな摩擦力を発揮する、ゴム弾性を備えたエラストマーを素材にして滑り止め部材１３を形成する。突条１４は、ベース部１５の上下方向の全長にわたって縦長リブ状に形成されており、その横断面は半円形状を呈する。ベース部１５の厚み寸法、上下寸法、および前後寸法は、取付凹部１２の深さ寸法、上下寸法、および横断面の円弧の長さにそれぞれ略等しい。取付凹部１２に対して滑り止め部材１３は、接着剤などの任意の手段で固定することができる。この組み付け状態において、ベース部１５は取付凹部１２に埋設されて部分円弧状に湾曲しており、多数個の突条１４のみが凹曲面部１１に露出している（図１参照）。
【００１９】
以上のように、本実施形態に係るハードディスクカートリッジにおいては、外ケース２の左右側壁８・８の後端寄りに指掛部９・９を凹曲状に凹み形成したので、指先を指掛部９・９にあてがったときの両者の接触面積を大きくできる。したがって、指先を指掛部９・９の凹曲部分で受け止めた滑りにくい状態で、コネクタ４をＡＶ機器などに対して着脱できる。つまり、本発明のハードディスクカートリッジによれば、機器に対して着脱する際に、外ケース２を確りと保持して、カートリッジの不用意な落下を防止できる。
【００２０】
上記の実施例以外に、滑り止め部材１３は凹曲面部１１の少なくとも一部に設けてあればよい。突起１４は縦長リブ状に形成する以外に、半球状、多角錐体状、あるいは円柱状などの点状突起として形成することができる。滑り止め部材１３はエラストマー以外に皮革や繊維で形成することができる。
【図面の簡単な説明】
【００２１】
【図１】本実施形態に係るハードディスクカートリッジを機器に対して着脱する態様を示す図である。
【図２】ハードディスクカートリッジの斜視図である。
【図３】図１のＡ−Ａ線断面図である。
【図４】図３のＢ−Ｂ線断面図である。
【符号の説明】
【００２２】
１  ハードディスクカートリッジ
２  外ケース
３  ディスクドライブ本体
４  コネクタ
８  左右側壁
９  指掛部
１１  凹曲面部
１２  取付凹部
１３  滑り止め部材
１４  突起（突条）
【図１】
2010003361.tif 000003
【図２】
2010003361.tif 000004
【図３】
2010003361.tif 000005
【図４】
2010003361.tif 000006